(57)【要約】【課題】簡単かつ確実に、密閉容器が開封されたか否かを判別することができる封止構造及び開封判別方法並びにタグの提供。【解決手段】開口部が栓３によって密閉され、開口部近傍が封止カバー４によって封止される密閉容器１に対して、該封止カバー４の開封部の少なくともに一部に重なるようにタグ７を接着剤で固定したり、封止カバー自体にタグの回路パターンを作り込む。これにより、封止カバー４からタグ７のみを取り出すことができず、また、封止カバー４を開封すると確実にタグ７が破壊され、タグ７は複製が困難であるため、封止カバー４にタグ７が取り付けられているか否か、タグ７が正規のタグであるか否かを調べることにより、密閉容器１が開封されたか否かを判別することができる。また、タグ７が封止カバー４表面に取り付けられているため、不正な開封を抑止する効果も得られる。【選択図】図１
2006123917.tif 000002
【特許請求の範囲】
【請求項１】
内容物を充填する容器本体と、前記容器本体の開口部を密閉する栓と、前記開口部近傍の前記容器本体及び前記栓の少なくとも一部を覆う封止カバーとを備える密閉容器の封止構造であって、
前記封止カバーに、該封止カバーを分断するための開封部を備え、
前記封止カバー表面の、前記開封部の少なくとも一部に重なる領域に、接着剤によりタグが固定されていることを特徴とする密閉容器の封止構造。
【請求項２】
前記開封部は、前記封止カバーの表裏を貫通する孔が前記タグを構成する回路パターンと交差する方向に配列された第１の切取線を含むことを特徴とする請求項１記載の密閉容器の封止構造。
【請求項３】
前記タグの前記第１の切取線に対向する位置に、前記タグの基材の表裏を貫通する孔が前記回路パターンと重なる部分を除いて配列された第２の切取線が形成されていることを特徴とする請求項２記載の密閉容器の封止構造。
【請求項４】
内容物を充填する容器本体と、前記容器本体の開口部を密閉する栓と、前記開口部近傍の前記容器本体及び前記栓の少なくとも一部を覆う封止カバーとを備える密閉容器の封止構造であって、
前記封止カバーに、該封止カバーを分断するための開封部を備え、かつ、前記開封部の少なくとも一部に重なるようにタグを構成する回路パターンが形成されていることを特徴とする密閉容器の封止構造。
【請求項５】
前記開封部は、前記封止カバーの表裏を貫通する孔が前記タグの前記回路パターンと交差する方向、かつ、該回路パターンと重なる部分を除いて配列された切取線を含むことを特徴とする請求項４記載の密閉容器の封止構造。
【請求項６】
前記内容物はアルコールであり、前記密閉容器はガラス瓶であることを特徴とする請求項１乃至５のいずれか一に記載の密閉容器の封止構造。
【請求項７】
内容物を充填する容器本体と、前記容器本体の開口部を密閉する栓と、前記開口部近傍の前記容器本体及び前記栓の少なくとも一部を覆う封止カバーとを備える密閉容器の、前記封止カバーの表面に固定されるタグであって、
前記封止カバーに、前記封止カバーの表裏を貫通する孔が前記タグを構成する回路パターンと交差する方向に配列された第１の切取線を備え、
前記タグの前記第１の切取線の対向する位置に、前記タグの基材の表裏を貫通する孔が前記回路パターンと重なる部分を除いて配列された第２の切取線が形成されていることを特徴とするタグ。
【請求項８】
内容物を充填する容器本体と、前記容器本体の開口部を密閉する栓と、前記開口部近傍の前記容器本体及び前記栓の少なくとも一部を覆う封止カバーとを備える密閉容器の、前記封止カバーと一体的に形成されるタグであって、
前記タグを構成する回路パターンが形成される前記封止カバーに、前記封止カバーの表裏を貫通する孔が前記タグの前記回路パターンと交差する方向、かつ、該回路パターンと重なる部分を除いて配列された切取線が形成されていることを特徴とするタグ。
【請求項９】
内容物を充填する容器本体と、前記容器本体の開口部を密閉する栓と、前記開口部近傍の前記容器本体及び前記栓の少なくとも一部を覆う封止カバーとを備える密閉容器を用いた開封判別方法であって、
前記封止カバーに、該封止カバーを分断するための開封部を設け、
前記封止カバーの表面の、前記開封部の少なくとも一部に重なる領域に、接着剤によりタグを固定し、
前記開封部の開封に際して前記タグを破壊させることにより、前記密閉容器が開封されたか否かを判別することを特徴とする開封判別方法。
【請求項１０】
前記開封部は、前記封止カバーの表裏を貫通する孔が前記タグを構成する回路パターンと交差する方向に配列された第１の切取線を含むことを特徴とする請求項９記載の開封判別方法。
【請求項１１】
前記タグの前記第１の切取線に対向する位置に、前記タグの基材の表裏を貫通する孔が前記回路パターンと重なる部分を除いて配列された第２の切取線を形成することを特徴とする請求項１０記載の開封判別方法。
【請求項１２】
内容物を充填する容器本体と、前記容器本体の開口部を密閉する栓と、前記開口部近傍の前記容器本体及び前記栓の少なくとも一部を覆う封止カバーとを備える密閉容器を用いた開封判別方法であって、
前記封止カバーに、該封止カバーを分断するための開封部を設け、かつ、前記開封部の少なくとも一部に重なるようにタグを構成する回路パターンを形成し、
前記開封部の開封に際して前記回路パターンを分断させることにより、前記密閉容器が開封されたか否かを判別することを特徴とする開封判別方法。
【請求項１３】
前記開封部は、前記封止カバーの表裏を貫通する孔が前記タグの前記回路パターンと交差する方向、かつ、該回路パターンと重なる部分を除いて配列された切取線を含むことを特徴とする請求項１２記載の開封判別方法。
【請求項１４】
前記内容物はアルコールであり、前記密閉容器はガラス瓶であることを特徴とする請求項９乃至１３のいずれか一に記載の開封判別方法。
【発明の詳細な説明】
【技術分野】
【０００１】
本発明は、密閉容器の開口部に形成される封止構造及び開封判別方法に関し、特に、電磁誘導又は電磁結合を利用して非接触でデータの交信を行うＲＦＩＤ（Radio Frequency Identification）システムを利用した封止構造及び開封判別方法並びにタグに関する。
【背景技術】
【０００２】
ウイスキーやブランデー、ワイン、日本酒などのアルコールはガラスなどの容器に充填され、注ぎ口をアルミやコルクなどの栓で密閉した状態で販売されるが、故意に又は何らかのはずみで栓がはずれないように、注ぎ口近傍を熱収縮性プラスチックフィルムなどからなる封止カバーで封止した状態で出荷される（例えば、下記特許文献１参照）。
【０００３】
上記封止カバーは、例えば、ポリ塩化ビニルやポリエチレンテレフタレートなどの熱収縮性プラスチックフィルムに、封止カバーを開封するための切取線などを設けて短冊状に分割し、閉栓した容器の注ぎ口周囲に円筒状に丸めて被せ、熱を加えて収縮させて形成され、アルコールを購入した顧客は、封止カバーの切取線が切り取られていなければ開封されていないと判断していた。
【０００４】
【特許文献１】特開平９−２２６８１６号公報（第２−３頁、第１図）
【発明の開示】
【発明が解決しようとする課題】
【０００５】
しかしながら、上記封止カバーは、安価な材料を用いて簡単な方法で実現することができるため、第三者が封止カバーを不正に開封し、中身を入れ替えたり薄める等、内容物の構成に変更を加え、再度、同様の封止カバーを形成することも可能であり、同様の封止カバーが取り付けられている場合には、顧客は購入したアルコールが一度開封されたものであるか否かを判別することができないという問題がある。
【０００６】
本発明は、上記問題点に鑑みてなされたものであって、その主たる目的は、簡単かつ確実に、密閉容器が開封されたか否かを判別することができる封止構造及び開封判別方法並びにタグを提供することにある。
【課題を解決するための手段】
【０００７】
上記目的を達成するため、本発明の封止構造は、内容物を充填する容器本体と、前記容器本体の開口部を密閉する栓と、前記開口部近傍の前記容器本体及び前記栓の少なくとも一部を覆う封止カバーとを備える密閉容器の封止構造であって、前記封止カバーに、該封止カバーを分断するための開封部を備え、前記封止カバー表面の、前記開封部の少なくとも一部に重なる領域に、接着剤によりタグが固定されているものである。
【０００８】
本発明においては、前記開封部は、前記封止カバーの表裏を貫通する孔が前記タグを構成する回路パターンと交差する方向に配列された第１の切取線を含む構成とすることができ、前記タグの前記第１の切取線に対向する位置に、前記タグの基材の表裏を貫通する孔が前記回路パターンと重なる部分を除いて配列された第２の切取線が形成されている構成とすることもできる。
【０００９】
また、本発明の封止構造は、内容物を充填する容器本体と、前記容器本体の開口部を密閉する栓と、前記開口部近傍の前記容器本体及び前記栓の少なくとも一部を覆う封止カバーとを備える密閉容器の封止構造であって、前記封止カバーに、該封止カバーを分断するための開封部を備え、かつ、前記開封部の少なくとも一部に重なるようにタグを構成する回路パターンが形成されているものである。
【００１０】
本発明においては、前記開封部は、前記封止カバーの表裏を貫通する孔が前記タグの前記回路パターンと交差する方向、かつ、該回路パターンと重なる部分を除いて配列された切取線を含む構成とすることができる。
【００１１】
また、本発明においては、前記内容物をアルコールとし、前記密閉容器をガラス瓶とすることができる。
【００１２】
また、本発明のタグは、内容物を充填する容器本体と、前記容器本体の開口部を密閉する栓と、前記開口部近傍の前記容器本体及び前記栓の少なくとも一部を覆う封止カバーとを備える密閉容器の、前記封止カバーの表面に固定されるタグであって、前記封止カバーに、前記封止カバーの表裏を貫通する孔が前記タグを構成する回路パターンと交差する方向に配列された第１の切取線を備え、前記タグの前記第１の切取線の対向する位置に、前記タグの基材の表裏を貫通する孔が前記回路パターンと重なる部分を除いて配列された第２の切取線が形成されているものである。
【００１３】
また、本発明のタグは、内容物を充填する容器本体と、前記容器本体の開口部を密閉する栓と、前記開口部近傍の前記容器本体及び前記栓の少なくとも一部を覆う封止カバーとを備える密閉容器の、前記封止カバーと一体的に形成されるタグであって、前記タグを構成する回路パターンが形成される前記封止カバーに、前記封止カバーの表裏を貫通する孔が前記タグの前記回路パターンと交差する方向、かつ、該回路パターンと重なる部分を除いて配列された切取線が形成されているものである。
【００１４】
また、本発明の開封判別方法は、内容物を充填する容器本体と、前記容器本体の開口部を密閉する栓と、前記開口部近傍の前記容器本体及び前記栓の少なくとも一部を覆う封止カバーとを備える密閉容器を用いた開封判別方法であって、前記封止カバーに、該封止カバーを分断するための開封部を設け、前記封止カバーの表面の、前記開封部の少なくとも一部に重なる領域に、接着剤によりタグを固定し、前記開封部の開封に際して前記タグを破壊させることにより、前記密閉容器が開封されたか否かを判別するものである。
【００１５】
また、本発明の開封判別方法は、内容物を充填する容器本体と、前記容器本体の開口部を密閉する栓と、前記開口部近傍の前記容器本体及び前記栓の少なくとも一部を覆う封止カバーとを備える密閉容器を用いた開封判別方法であって、前記封止カバーに、該封止カバーを分断するための開封部を設け、かつ、前記開封部の少なくとも一部に重なるようにタグを構成する回路パターンを形成し、前記開封部の開封に際して前記回路パターンを分断させることにより、前記密閉容器が開封されたか否かを判別するものである。
【００１６】
このように、本発明の構成によれば、タグを封止カバーから取り外すことができず、また、封止カバーの開封時に、表面に接着された又は一体的に形成されたタグが破壊され、このタグは複製が困難であるため、タグの有無又はタグが正規なタグであるかを調べることにより、密閉容器が開封されたか否かを簡単に判別することができる。また、タグを目視可能に封止カバーに取り付け又はタグの回路パターンを目視可能に封止カバーに形成することによって、不正な開封を抑止することができる。
【発明の効果】
【００１７】
以上説明したように、本発明の封止構造及び開封判別方法並びにタグによれば、下記記載の効果を奏する。
【００１８】
本発明の第１の効果は、密閉容器が開封されたか否かを簡単に判別することができるということである。
【００１９】
その理由は、容器本体の開口部近傍を覆う封止カバーに接着剤などによってタグが強固に固定され、又、封止カバー自体にタグの回路パターンが一体的に形成されているため、複製が困難なタグのみを封止カバーから取り外すことができず、また、封止カバーが開封されると確実にタグが破壊されるため、タグの有無又はタグの動作を調べることによって、封止カバーが開封されたか否かを判別することができるからである。
【００２０】
本発明の第２の効果は、不正な開封を抑止することができるということである。
【００２１】
その理由は、封止カバーの表面に目視可能にタグが取り付けられ、又は、封止カバーにタグの回路パターンが目視可能に形成されているため、不正な開封を判別する手段が設けられていることを第三者に認識させることができるからである。
【発明を実施するための最良の形態】
【００２２】
従来技術で示したように、栓によって密閉された瓶の注ぎ口近傍に封止目的で設けられる封止カバーは安価かつ容易に製造することが可能であるため、第三者が瓶を不正に開封し、中身を入れ替えたり薄めた後に、再度、同様の封止カバーを形成して元の状態に戻すことができる。そのため、封止カバーが開封されているか否かを調べるだけでは、瓶が不正に開封されたか否かを判別することができないという問題があった。
【００２３】
一方、近年、ＩＣチップを備えたタグとリーダ／ライタ（又はリーダ）との間でデータの交信を行うＲＦＩＤシステムが普及しており、ＲＦＩＤシステムではタグ及びリーダ／ライタの各々に備えたアンテナを用いてデータの交信が行われる。このタグはフィルム状などの任意の形状にすることができ、また、データの交信に際してタグに予め記憶されたＩＤ情報などを参照して認証することができるため複製が難しいという特徴がある。
【００２４】
そこで、本発明では、上記タグの特徴を利用して、開口部が栓によって密閉され、開口部近傍が封止カバーによって封止される密閉容器に対して、該封止カバーの開封部の少なくともに一部に重なるようにタグを接着剤で固定したり、開封部の少なくともに一部に重なるように封止カバー自体にタグのアンテナコイルなどの回路パターンを作り込む。これにより、封止カバーからタグのみを取り出すことができず、また、封止カバーを開封すると確実にタグが破壊されるため、封止カバーにタグが取り付けられているか否か、タグが正規のタグであるか否かを調べることにより、密閉容器が開封されたか否かを判別することができる。また、タグが封止カバー表面に取り付けられ、又はタグの回路パターンが目視可能に封止カバーに形成されているため、不正な開封を抑止する効果も得られる。
【実施例１】
【００２５】
上記実施形態について詳細に説明すべく、本発明の第１の実施例に係る封止構造及び開封判別方法並びにタグについて、図１乃至図１０を参照して説明する。図１は、第１の実施例に係る封止構造を備えた密閉容器の構成を模式的に示す図であり、図２は、該密閉容器の開口部近傍を拡大した図、図３は、そのＡ−Ａ’線における断面図である。また、図４は、封止カバーに固定されるタグの構造を示す図であり、図５は、ＲＦＩＤシステムの構成を模式的に示す図である。また、図６は、封止カバーを開封する前後の状態を示す図であり、図７乃至図９は、本実施例の封止構造のバリエーションを示す図である。また、図１０は、封止カバーが開封されたか否かを判別する手順を示すフローチャート図である。
【００２６】
図１乃至図３に示すように、本実施例の密閉容器１は、アルコールなどの内容物５を充填するガラスなどで形成された容器本体２と、該容器本体２の開口部（注ぎ口）を密閉するアルミなどで形成された栓３と、開口部近傍の容器本体２及び栓３を覆い、開封するための構造（ここでは手で摘むための取っ手１０や切取線８ａ）が予め設けられた熱収縮性プラスチックなどからなる封止カバー４と、封止カバー４の切取線８ａの少なくとも一部に重なる領域に接着剤９などによって強固に固定されたタグ７とで構成される。
【００２７】
なお、図１乃至図３の構造は例示であり、内容物５はアルコールに限らず、水などの他の液体や密封状態で保存する薬品などの固体、ガスなどの気体としてもよい。また、容器本体２や栓３の形状、材料なども任意であり、例えば、図９に示すように、栓３として開口部内部に挿入されるコルクなどを用いてもよい。また、封止カバー４の開封構造も図の構成に限定されず、例えば、図７に示すように、切取線８ａが開口部の周回方向に形成された構造としてもよいし、図８に示すように、切取線８ａを１本として切取線８ａの両側を捻ることによって封止カバー４が分断される構造としてもよいし、封止カバー４の厚さを部分的に薄くして破れやすくする構造などとしてもよい。
【００２８】
また、タグ７を固定する接着剤９は特に限定されないが、接着力が弱いとタグ７を取り外した後に封止カバー４を分断し、内容物５の構成に変更を加えた後に同様の封止カバー４を被せ、その上に取り外したタグ７を再度接着するといった偽装が行われる恐れがあるため、封止カバー４とタグ７の材料などを考慮して容易に剥がすことができない接着剤９を選択することが好ましく、例えば、封止カバー４及びタグ７の基材としてポリ塩化ビニルが用いられる場合は、変成シリコーン樹脂系やエポキシ樹脂系の接着剤などを用いることができる。なお、タグ７の固定手段は接着剤９に限定されず、強度が確保できる限りにおいて粘着材を用いたり、熱圧着などの方法で固定してもよい。
【００２９】
また、図４及び図５に示すように、封止カバー４に固定されるタグ７は、共振回路７ｂを構成するアンテナコイル７ａ及びコンデンサ（ＩＣ７ｃに容量を備える場合は必ずしも必要ではない。）と、必要に応じてＩＤ情報などを記憶するＩＣ７ｃとで構成される。このタグ７には、封止カバー４を切取線８ａに沿って分断する際にタグ７が容易に破壊されるように、封止カバー４の切取線８ａに対応する位置に、タグ７の基材７ｄの表裏を貫通する孔が線状に配列された切取線８ｂを設けることが好ましい。なお、図４では、アンテナコイル７ａを二重のループとしているが、アンテナコイル７ａは切取線８ｂと少なくとも一回交差する形状であればよく、ループの数、形状などは任意である。また、図４下部に示すように、切取線８ａは、その貫通孔がアンテナコイル７ａなどの回路パターンを分断しないように形成する。また、タグ７の基材７ｄが切断できるように薄く形成されている場合や切断可能な材料で形成されている場合、又は、ナイフなどを用いてタグ７を切断することを前提にしている場合には切取線８ｂは設ける必要はない。
【００３０】
また、リーダ／ライタ６は、タグ７と交信するリーダ／ライタ用アンテナ６ａと送受信信号を変換するための通信回路部６ｂと送受信信号をデコードするための演算処理部６ｃとを主な構成要素とする。このリーダ／ライタ６は、図１に示すような携帯型としてもよいし、設置型としてもよい。そして、リーダ／ライタ用アンテナ６ａをタグ７に近づけると、リーダ／ライタ６とタグ７との間でデータの交信が行われ、リーダ／ライタ６はＩＣ７ｃに予め記憶されたＩＤ情報などを参照して該タグ７が正規のタグであるかを判別する。
【００３１】
次に、上記封止構造が形成された密閉容器１を用いて、封止カバー４が開封されたか否かを判定する手順について、図１０のフローチャート図を参照して説明する。
【００３２】
まず、ステップＳ１０１で、醸造所などで容器本体２にアルコールなどの内容物５を充填し、開口部に栓３を被せて閉栓し、引き続き、ステップＳ１０２で、開口部近傍の容器本体２及び栓３の少なくとも一部を覆うように、すなわち、封止カバー４を開封しなければ内容物５を取り出すことができないように、開封構造が設けられた封止カバー４を形成する。この封止カバー４の製造方法は特に限定されないが、例えば、ロール状に巻かれたポリ塩化ビニルやポリエチレンテレフタレートなどの熱収縮性プラスチックフィルムを開口部の円周より若干長く引き出し、切取線８ａを形成してから切断し、切断した短冊状の断片を円筒状に丸めて開口部に被せ、熱を加えて両端部分を連結すると共に全体を熱収縮させる方法などを用いることができる。
【００３３】
次に、ステップＳ１０３で、上記封止カバー４の所定の場所にタグ７を固定する。このタグ７には、上述したように封止カバー４の開封に際して容易に破壊されるように、必要に応じて、封止カバー４の切取線８ａに対応する位置に切取線８ｂが形成されている。そして、封止カバー４の切取線８ａの一部を跨ぎ（必ずしも図１及び図２に示すように切取線８ａを横断する必要はなく、切り取られる部分と残る部分とを跨いでいればよい。）、かつ、封止カバー４の切取線８ａとタグ７の切取線８ｂとがほぼ重なるように、接着剤９などを用いて貼り付ける。なお、接着剤９の塗布方法は任意であり、封止カバー４側に塗布してもタグ７側に塗布してもよい。また、接着剤９は接着面の全面に塗布してもよいが、接着剤９を接着面の全面に塗布すると、切取線８ａ及び８ｂの貫通孔に接着剤９がしみ込み、切り取りが難しくなる場合も考えられるため、接着剤９が切取線８ａ及び８ｂの貫通孔にしみ込まないように接着面の一部（例えば、切取線を除く全面や四隅など）に塗布してもよい。
【００３４】
次に、ステップＳ１０４で、上記方法で封止カバー４にタグ７が強固に固定された密閉容器１を出荷して市場に流通させ、ステップＳ１０５で所定の場所に入荷する。この密閉容器１の入荷場所は任意であり、運送会社の倉庫としてもよいし、問屋や小売店などの販売店としてもよいし、外国に出荷する場合は出荷先の税関などとしてもよい。
【００３５】
そして、以降のステップで、密閉容器１が流通過程で不正に開封されていないかを判定する。ここで、図６（ａ）に示すように、本実施例の密閉容器１には、封止カバー４の開封部にタグ７が取り外せないように、かつ、開封すれば容易に破壊されるように取り付けられているため、第三者の不正な開封を抑止することができるが、タグ７が取り付けられているにもかかわらず、第三者が不正に封止カバー４を分断した場合には、図６（ｂ）に示すように、封止カバー４に固定されたタグ７も切取線８ｂに沿って分断されて破壊される。従って、上記第三者によって一旦封止カバー４が開封されたら、再度封止カバー４を取り付けたとしても密閉容器１にはタグ７がない状態になるため、外観を検査すれば不正に開封されたか否かを判定することができ、ステップＳ１０６で、密閉容器１にタグ７がない場合には、ステップＳ１０９で、封止カバー４が不正に開封されたと判定することができる。
【００３６】
通常は上記外観検査で不正な開封を判別することができるが、第三者が一旦封止カバー４を取り外し、中身を入れ替えたり薄めるなど内容物５の構成に変更を加えた後、再度封止カバー４を取り付け、更に、その上に外観上タグ７に見えるようなダミーのタグを取り付ける場合も考えられる。そのような場合には、リーダ／ライタ６を用いてタグ７にアクセスし、必要に応じてタグ７のＩＣ７ｃに予め記憶されたＩＤ情報などを参照して正規なタグ７であるかを判断することによって上記偽装も見抜くことができ、ステップＳ１０７で、正規のタグ７でない場合にはステップＳ１０９で不正に開封されたと判定することができる。なお、ステップＳ１０７の判断をより確実にするために、タグ７のＩＣ７ｃに暗号化された情報を記憶しておくこともでき、このような構成にすればタグ７の複製をより困難にすることができる。
【００３７】
そして、ステップＳ１０６で封止カバー４にタグ７が取り付けられており、かつ、ステップＳ１０７でそのタグ７が正規のタグ７であると判断される場合には、ステップＳ１０８で、この密閉容器１は未開封と判定することができる。
【００３８】
このように、本実施例では、アルコールなどを充填する容器本体２の開口部近傍に、該容器本体２及び開口部を閉栓する栓３の少なくとも一部を覆う封止カバー４が取り付けられ、その封止カバー４の切取線８ａなどの開封部の少なくとも一部に重なるようにタグ７が強固、かつ開封時に容易に破壊されるように固定されており、かつ、このタグ７は複製が困難であるため、密閉容器１の流通段階で第三者が封止カバー４を開封し、中身を改竄した後、再度封止カバー４を取り付けたとしても、タグ７の有無や必要に応じて正規のタグ７であるかを調べることによって不正な開封を確実に判別することができる。また、上記タグ７は目視できるように貼り付けられているため、上記不正な開封を抑止することもできる。
【実施例２】
【００３９】
次に、本発明の第２の実施例に係る封止構造及び開封判別方法並びにタグについて、図１１乃至図１６を参照して説明する。図１１は、第２の実施例に係る封止構造を備えた密閉容器の構成を模式的に示す図であり、図１２は、そのＢ−Ｂ’線における断面図である。また、図１３は、タグが一体的に構成されるタグ付き封止カバーの構造を示す図であり、図１４は、該タグ付き封止カバーを円筒状に丸めた状態を示す図である。また、図１５は、タグ付き封止カバーを開封する前後の状態を示す図であり、図１６は、タグ付き封止カバーが開封されたか否かを判別する手順を示すフローチャート図である。
【００４０】
前記した第１の実施例では、封止カバー４の上に別途製作されたタグ７を接着剤９で固定する構造としたが、この構造の場合、ナイフなどを用いて封止カバー４を開封部以外の部分で開封してタグ７を切り抜き、再度形成した封止カバー４の上に切り抜いたタグ７を貼り付けるといった偽装が行われる可能性があり、その場合、タグ７に以前の封止カバー４が接着されていることを見落としてしまうと開封された密閉容器１を誤って未開封と判別してしまう恐れがある。そこで、本実施例ではそのような偽装に対しても開封されたことを確実に判別できるように、封止カバー４とタグ７とを一体的に形成する。
【００４１】
具体的には、本実施例の密閉容器１は、図１１及び図１２に示すように、アルコールなどの内容物５を充填するガラスなどで形成された容器本体２と、該容器本体２の開口部を密閉するアルミなどで形成された栓３と、開口部近傍の容器本体２及び栓３を覆い、取っ手１０や切取線８ａなどの開封構造が設けられ、かつ、タグ７のアンテナコイル７ａなどの回路パターンが表面、裏面又は内部に形成された熱収縮性プラスチックなどからなるタグ付き封止カバー４ａとで構成される。
【００４２】
なお、図１１及び図１２では、説明を容易にするためのアンテナコイル７ａを一重のループとしているが、アンテナコイル７ａは切取線８ｂと少なくとも一回交差する形状であればよく、ループの数、形状などは任意である。また、切取線８ａは、その貫通孔がアンテナコイル７ａなどの回路パターンを分断しないように形成されていればよく、開口部の周回方向に形成してもよいし、切取線８ａを１本として切取線８ａの両側を捻ることによってタグ付き封止カバー４ａが分断される構造としてもよいし、開封構造としてタグ付き封止カバー４ａの厚さを部分的に薄くして破れやすくする構造などとしてもよい。また、第１の実施例と同様に、内容物５はアルコールに限らず、水などの他の液体や密封状態で保存する薬品などの固体、ガスなどの気体としてもよいし、栓３を注ぎ口に挿入されるコルクなどとしてもよい。
【００４３】
そして、リーダ／ライタ用アンテナ６ａをタグ付き封止カバー４ａに近づけると、リーダ／ライタ６とタグ付き封止カバー４ａに形成されたタグとの間でデータの交信が行われ、リーダ／ライタ６はＩＣ７ｃに予め記憶されたＩＤ情報などを参照して該タグが正規のタグであるかを判別する。
【００４４】
次に、上記封止構造が形成された密閉容器１を用いて、タグ付き封止カバー４ａが開封されたか否かを判断する手順について、図１６のフローチャート図を参照して説明する。
【００４５】
まず、ステップＳ２０１で、醸造所などで容器本体２にアルコールなどの内容物５を充填し、開口部に栓３を被せて閉栓し、引き続き、ステップＳ２０２で、開口部近傍の容器本体２及び栓３の少なくとも一部を覆うように、予め開封構造が設けられ、かつ、アンテナコイル７ａなどの回路パターンが形成されたタグ付き封止カバー４ａを形成する。このタグ付き封止カバー４ａの製造方法は特に限定されないが、例えば、図１３に示すように、予めアンテナコイル７ａなどの回路パターンが形成されたポリ塩化ビニルやポリエチレンテレフタレートなどの熱収縮性プラスチックフィルムを開口部の円周より若干長く引き出し、切取線８ａを形成してから切断し、回路パターンにＩＣ７ｃを接続した後、図１４に示すように、切断した短冊状の断片を円筒状に丸めて開口部に被せ、熱を加えて両端部分を接続すると共に全体を熱収縮させる方法などを用いることができる。
【００４６】
なお、アンテナコイル７ａなどの回路パターンはタグ付き封止カバー４ａの表面、裏面又は内部のいずれに形成してもよいし、表面又は裏面に形成した場合に更にプラスチックフィルムなどで保護してもよい。表面側に形成した場合には第三者の回路パターンがあることを認識させることができるため、不正な開封を抑止することができ、また、裏面側や内部に形成した場合や表面に印刷が施されている場合には回路パターンを隠すことができるため、タグ付き封止カバー４ａにタグが組み込まれていること自体を秘匿することができる。
【００４７】
次に、ステップＳ２０３で、上記方法でタグ付き封止カバー４ａが形成された密閉容器１を出荷して市場に流通させ、ステップＳ２０４で所定の場所に入荷する。この密閉容器１の入荷場所は任意であり、運送会社の倉庫としてもよいし、問屋や小売店などの販売店としてもよいし、外国に出荷する場合は出荷先の税関などとしてもよい。
【００４８】
そして、以降のステップで、密閉容器１が流通過程で不正に開封されていないかを判定する。ここで、図１５（ａ）に示すように、本実施例の密閉容器１には、タグ付き封止カバー４ａにタグが組み込まれているため、第三者の不正な開封を抑止することができるが、タグ７が取り付けられているにもかかわらず、第三者が不正にタグ付き封止カバー４ａを分断した場合には、図１５（ｂ）に示すように、タグ付き封止カバー４ａに形成されたアンテナコイル７ａなどの回路パターンが切取線８ａに沿って分断されてタグが機能しなくなる。従って、上記第三者によって一旦タグ付き封止カバー４ａが開封されたら、再度封止カバーを取り付けたとしても該封止カバーにはアンテナコイル７ａなどの回路パターンが形成されていないため、外観を検査すれば不正に開封されたか否かを判定することができ、ステップＳ２０５で、封止カバーに回路パターンがない場合には、ステップＳ２０８で、タグ付き封止カバー４ａが不正に開封されたと判定することができる。
【００４９】
通常は上記外観検査で不正な開封を判別ことができるが、第三者が一旦タグ付き封止カバー４ａを取り外し、中身を入れ替えたり薄めるなど内容物５の構成に変更を加えた後、再度、外観上似せた封止カバー（例えば、回路パターンに見える模様を印刷した封止カバーなど）を取り付ける場合も考えられる。そのような場合には、リーダ／ライタ６を用いてタグ付き封止カバー４ａのタグにアクセスし、必要に応じてタグのＩＣ７ｃに予め記憶されたＩＤ情報などを参照して正規なタグであるかを判断することによって上記偽装も見抜くことができ、ステップＳ２０６で、正規のタグでなければステップＳ２０８で不正に開封されたと判定することができる。なお、ステップＳ２０６の判断をより確実にするために、タグのＩＣ７ｃに暗号化された情報を記憶しておくこともでき、このような構成にすればタグ付き封止カバー４ａの複製をより困難にすることができる。
【００５０】
そして、ステップＳ２０５でタグ付き封止カバー４ａに回路パターンが取り付けられており、かつ、ステップＳ２０６でそのタグが正規のタグである場合には、ステップＳ２０７で、この密閉容器１は未開封と判定することができる。
【００５１】
このように、本実施例では、アルコールなどを充填する容器本体２の開口部近傍に、該容器本体２及び開口部を閉栓する栓３の少なくとも一部を覆い、タグのアンテナコイル７ａなどの回路パターンが形成されたタグ付き封止カバー４ａが取り付けられており、かつ、このタグ付き封止カバー４ａは複製が困難であるため、密閉容器１の流通段階で第三者がタグ付き封止カバー４ａを開封し、中身を改竄した後、再度封止カバーを取り付けたとしても、回路パターンの有無や必要に応じて正規のタグであるかを調べることによって不正な開封を確実に判別することができる。また、タグの回路パターンを目視できるように形成した場合には、上記不正な開封を抑止することもできる。
【００５２】
なお、上記各実施例では、本発明の封止構造をガラス瓶に適用する場合について示したが、本発明は上記実施例に限定されるものではなく、例えば、金属やプラスチックなどで形成された任意の形状（例えば、箱型）の容器に対しても同様に適用することができる。その際、金属製の容器では、アンテナで発生する磁束を打ち消すように渦電流が発生するため、アンテナコイル７ａと容器との間に磁性材を挿入したり、更に導電材を挿入することが好ましい。
【図面の簡単な説明】
【００５３】
【図１】本発明の第１の実施例に係る密閉容器の構成を模式的に示す斜視図である。
【図２】本発明の第１の実施例に係る密閉容器の開口部近傍の構造を模式的に示す斜視図である。
【図３】本発明の第１の実施例に係る密閉容器の開口部近傍の構造を模式的に示す断面図である。
【図４】本発明の第１の実施例に係るタグの構造を模式的に示す図である。
【図５】ＲＦＩＤシステムの構成を模式的に示す図である。
【図６】本発明の第１の実施例に係る封止カバーの開封前後の状態を示す図である。
【図７】本発明の第１の実施例に係る密閉容器の構成のバリエーションを示す斜視図である。
【図８】本発明の第１の実施例に係る密閉容器の構成のバリエーションを示す斜視図である。
【図９】本発明の第１の実施例に係る密閉容器の構成のバリエーションを示す断面図である。
【図１０】本発明の第１の実施例に係る開封／未開封の判定手順を示すフローチャート図である。
【図１１】本発明の第２の実施例に係る密閉容器の開口部近傍の構造を模式的に示す斜視図である。
【図１２】本発明の第２の実施例に係る密閉容器の開口部近傍の構造を模式的に示す断面図である。
【図１３】本発明の第２の実施例に係るタグ付き封止カバーの構造を模式的に示す図である。
【図１４】本発明の第２の実施例に係るタグ付き封止カバーを丸めた状態を示す図である。
【図１５】本発明の第２の実施例に係るタグ付き封止カバーの開封前後の状態を示す図である。
【図１６】本発明の第２の実施例に係る開封／未開封の判定手順を示すフローチャート図である。
【符号の説明】
【００５４】
１  密閉容器
２  容器本体
３  栓
４  封止カバー
４ａ  タグ付き封止カバー
５  内容物
６  リーダ／ライタ
６ａ  リーダ／ライタ用アンテナ
６ｂ  通信回路部
６ｃ  演算処理部
７  タグ
７ａ  アンテナコイル
７ｂ  共振回路
７ｃ  ＩＣ
７ｄ  基材
８ａ  切取線
８ｂ  切取線
９  接着剤
１０  取っ手
【図１】
2006123917.tif 000003
【図２】
2006123917.tif 000004
【図３】
2006123917.tif 000005
【図４】
2006123917.tif 000006
【図５】
2006123917.tif 000007
【図６】
2006123917.tif 000008
【図７】
2006123917.tif 000009
【図８】
2006123917.tif 000010
【図９】
2006123917.tif 000011
【図１０】
2006123917.tif 000012
【図１１】
2006123917.tif 000013
【図１２】
2006123917.tif 000014
【図１３】
2006123917.tif 000015
【図１４】
2006123917.tif 000016
【図１５】
2006123917.tif 000017
【図１６】
2006123917.tif 000018